(57)【要約】【課題】ブーツの全体型状、特にレッグ部の型状を垂直状態に保持すると共に、フット部の足甲型状が型崩れを起こさない装着・取脱容易な、ブーツ等の保型具を提供する。【課題を解決するための手段】全体が側面視ほぼ逆Ｌ字状をなし、屈曲、打ち抜き可能な弾性を有する軽量、硬質板状体例えば、ポリプロピレン等を素材とし、上方が太径で下方に向けて漸次細径とし、可動長舌片２ａ、２ｂ、２ｃ及び固定舌片３ａ、３ｂ、３ｃを一体的に設けた、平面視ほぼ楕円状のレッグ部Ｌと、屈曲線Ｘ、Ｙ、Ｙ’等を介してフット部Ｆを水平状に連設すると共に、足底部５から足甲部６を半円状に形成したことを特徴とする。【選択図】図１
2005046575.tif 000002
【特許請求の範囲】
【請求項１】
全体が側面視ほぼＬ字又は逆Ｌ字状をなし、屈曲かつ打ち抜き可能な弾性を有する１枚の軽量、硬質板状体よりなり、
上方が太径で下方に向けて漸次細径とした、平面視ほぼ楕円状のレッグ部と、
屈曲線を介してフット部を水平状に連設すると共に、足底部から足甲部を半円状に形成したことを特徴とする、ブーツ等の保型具。
【請求項２】
前記レッグ部のやや、ふくらはぎ部寄りに屈曲線を介してほぼ、垂直状の芯体を形成し、その芯体の屈曲線上の一側端縁に１又は複数のスリットを設け、その対称部位である他側端縁にも１又は複数のスリットを設け、一側端縁のスリットに挿入される固定舌片と、他側端縁のスリットに挿入される可動長舌片を形成したことを特徴とする、請求項１記載のブーツ等の保型具。
【請求項３】
前記固定舌片と可動長舌片の上下端に係止爪を設けたことを特徴とする、請求項１ないし請求項２記載のブーツ等の保型具。
【請求項４】
前記ふくらはぎ部下方に踵固定片を連設したことを特徴とする、請求項１ないし請求項３記載のブーツ等の保型具。
【請求項５】
前記軽量、硬質板状体が合成樹脂又は紙を素材としてなることを特徴とする、請求項１ないし請求項４記載のブーツ等の保型具。
【請求項６】
前記レッグ部の上方部位に左右の識別を表示してなることを特徴とする、請求項１ないし請求項５記載のブーツ等の保型具。
【発明の詳細な説明】
【発明の詳細な説明】
【技術分野】
【０００１】本発明は、ブーツ等の保型具に関する。
【背景技術】
【０００２】従来、ファッションブーツや天候不順時に着用される長靴等（以下、ブーツという）は、踵上部から垂直上方に延びるレッグ部（すね及びふくらはぎ部を一括して総称）が長いため、レッグ部が折れ曲がり易く、例えば折れ曲がった状態で保管すると、その部分に折れクセが付いたり、折りシワや傷等が発生し易い。それを防止するためにブーツの内側に新聞紙等を丸めた詰め物を詰めたり、ブーツの上端を挟持具で吊り下げたりしている。【０００３】しかしながら、内側に詰め物をするのはレッグ部の寸法が長いほど作業が煩雑でかつ、フット部（踵、足底、足甲及びつま先部を一括して総称）の内側に詰め物をするのは極めて困難であり、非実用的である。また、挟持具で吊り下げる場合は、保管は簡単ではあるが形崩れは避けられないし、ブーツの上端に挟持アトが残る欠点があった。
【発明が解決しようとする課題】
【０００４】そこで、ブーツ全体の形状を美麗に保持し、さらにブーツを長持ちさせるためには、レッグ部を垂直状態で保管することが望まれるが、レッグ部の形状を簡単に保持するための用具は大掛かりになり易く、簡易な形状かつ簡便な操作で装着・取脱可能なブーツ等の保型具が要望されてた。
【０００５】本発明は、ブーツの全体形状、特にレッグ部の形状を垂直状態に保持すると共に、フット部の足甲形状が形崩れを起こさない装着・取脱容易な、ブーツ等の保型具を提供することを目的としている。
【課題を解決するための手段】
【０００６】本発明の請求項１に係る発明は、全体が側面視ほぼＬ字又は逆Ｌ字状をなし、屈曲かつ打ち抜き可能な弾性を有する１枚の軽量、硬質板状体よりなり、上方が太径で下方に向けて漸次細径とした、平面視ほぼ楕円状のレッグ部と、屈曲線を介してフット部を水平状に連設すると共に、足底部から足甲部を半円状に形成したことを特徴としている。
【０００７】次に本発明の請求項２に係る発明は、前記レッグ部のやや、ふくらはぎ部寄りに屈曲線を介してほぼ、垂直状の芯体を形成し、その芯体の屈曲線上の一側端縁に１又は複数のスリットを設け、その対称部位である他側端縁にも１又は複数のスリットを設け、一側端縁のスリットに挿入される固定舌片と、他側端縁のスリットに挿入される可動長舌片を形成したことを特徴としている。
【０００８】本発明の請求項３に係る発明は、上記請求項１ないし請求項２記載のブーツ等の保型具において、前記固定舌片と可動長舌片の上下端に係止爪を設けたことを特徴としている。
【０００９】請求項４に係る発明は、上記請求項１ないし請求項３記載のブーツ等の保型具において、前記ふくらはぎ部下方に踵固定片を連設したことを特徴としている。
【００１０】請求項５に係る発明は、上記請求項１ないし請求項４記載のブーツ等の保型具において、前記軽量、硬質板状体が合成樹脂又は紙を素材としてなることを特徴としている。
【００１１】請求項６に係る発明は、上記請求項１ないし請求項５記載のブーツ等の保型具において、前記レッグ部の上方部位に左右の識別を表示してなることを特徴としている。
【発明を実施するための最良の形態】
【００１２】以下、本発明に係るブーツ等の保型具について好適な実施形態を図面を参照にして説明する。保型具Ｈは、左右両脚用として一対２個（２本）を１セットと製作されるものであり、各図面は左脚用を示し、右脚用は左脚用と対称であるので図示と説明を省略する。【００１３】保型具Ｈは、図１に示すように、側面視ほぼ逆Ｌ字状に形成され、その素材は、屈曲、打ち抜き可能な弾性を有する１枚の軽量、硬質板状体例えば、ポリプレピレン等の合成樹脂や厚紙等を図２に示すような形状に打ち抜くと共に、複数のスリット及び屈曲線が形成される。【００１４】１は芯体で、２はすね部、３はふくらはぎ部で、１ａ、１ｂ、１ｃ、１ｄ、１ｅ及び１ｆは、芯体１の両側端縁に形成されたスリットで、図２に示すようにスリット１ａ、１ｂ及び１ｃの左端側ほぼ対称部位に可動長舌片２ａ、２ｂ及び２ｃが延設され、スリット１ｄ、１ｅ及び１ｆの右端側ほぼ対称部位に固定舌片３ａ、３ｂ及び３ｃが延設されている。【００１５】すね部２及びふくらはぎ部３の下方には、屈曲線Ｙ及びＹ’を介してテーパ状の踵固定片４、４’が延設されまた、その踵固定片４、４’の下端部には、切込線Ｃ、Ｃ’が設けられると共に、屈曲線Ｘを介して足底部５、足甲部６及びつま先部７が連設されている。足底部５の左端側には屈曲線５Ｙ及びスリット５ａ、５ｂと補強片５ｃが形成され、足甲部６の右端側には上記の足底部５のスリット５ａ、５ｂの対称部位に差込片６ａ、６ｂがそれぞれ設けられている。６Ｙは屈曲線、６ｃは開口部である。【００１６】本発明に係る保型具Ｈは、以下の手順で組立てられる。まず、芯体１の上方を右手にまたすね部２を左手で保持し、屈曲線Ｙを介しすね部２をほぼ９０度に内折りし、次に左手ですね部２と芯体１を挟持し、右手で把持したふくらはぎ部３は、屈曲線Ｙ’を介しほぼ９０度に内折りし、これを時計逆回り方向に湾曲させ、その先端に形成された固定舌片３ａ、３ｂ及び３ｃを、屈曲線Ｙの延長線上に設けられたスリット１ａ、１ｂ及び１ｃに差込み、固定舌片３ａ、３ｂ及び３ｃの上下端に設けた係止爪３０ａ、３０ｂ及び３０ｃでそれぞれ各スリット１ａ、１ｂ及び１ｃの上下端に係止する。【００１７】続いてすね部２に延設されている可動長舌片２ａ、２ｂ及び２ｃを時計逆回り方向に湾曲させながら、屈曲線Ｙ’上の対称部位に設けたスリット１ｄ、１ｅ及び１ｆに差込み、可動長舌片２ａ、２ｂ及び２ｃの係止爪２０ａ、２０ｂ及び２００ｃでそれぞれ各スリット１ｄ、１ｅ及び１ｆの上下端に係止する。この状態において可動長舌片２ａ、２ｂ及び２ｃには図１の矢印で示すように、外方への弾性力Ｐが作用している。【００１８】さらに、足底部５の左端部に形成された補強片５ｃを屈曲線５Ｙを介し、ほぼ９０度起立させ足甲部６の右端側に設けた差込片６ａ、６ｂをスリット５ａ、５ｂにそれぞれ差込み固定し、屈曲線Ｘをすね部２側にほぼ９０度屈曲させて保型具Ｈの組立作業は終了する。【００１９】保型具Ｈをブーツに装着するには、まず、右手でふくらはぎ部３を保持し、可動長舌片２ａ、２ｂ及び２ｃを含むすね部２全体を左手で把持し、図１の二点鎖線で示すように、すね部２を外方への弾性力Ｐに抗して矢印Ａ方向に押圧しておき、つま先部７をブーツの上方開口部（不図示）から挿入し、順次足甲部６、踵固定片４、４’、すね部２及びふくらはぎ部３と下方に押し込んで行き、屈曲線Ｘが足底部５に到達したときすね部２及びふくらはぎ部３を把持していた左手及び右手を開放すれば、保型具Ｈは弾性力Ｐによりブーツの内周面に固く保持される。【００２０】保型具Ｈをブーツから取脱すときは、すね部２又はふくらはぎ部３の上端部を指先で把持し、図１の二点鎖線で示すように内方に縮小させながら全体を上方に引き上げると、保型具Ｈはブーツから容易に離脱することができる。
【発明の効果】
【００２１】本発明に係る、ブーツ等の保型具Ｈは、上記の構成をもってなるから以下の効果を奏する即ち、▲１▼弾性を有する軽量、硬質板状体を素材として屈曲線、スリット、固定舌片及び可動長舌片等を一体的な１枚のシート状に形成しかつ、組立も容易でありまた、搬送に際しては、少スペースで多量の保型具Ｈを搬送でき、全体的な製作コストが安価となる。▲２▼すね部２に設けた可動長舌片２ａ、２ｂ及び２ｃは拡縮可能な構成でありまた、素材の弾性力と相俟って内径サイズの異なる各種ブーツに適合する汎用性を有すると共に、すね部２、ふくらはぎ部３、踵部及び足甲部６等はブーツの内周面を常時外方に圧接するのでブーツを長期間美麗に保形できる。▲３▼構造が簡単で軽量なので、老齢者や子供にも簡便に装着・取脱が可能である。
【図面の簡単な説明】
【００２２】
【図１】本発明に係る、ブーツ等の保型具Ｈの斜視図である。
【図２】同、展開図である。
【符号の説明】
Ｈ                      保型具
Ｌ                      レッグ部
Ｆ                      フット部
１                      芯体
２                      すね部
３                      ふくらはぎ部
４、４’                踵固定片
５                      足底部
６                      足甲部
７                      つま先部
１ａ、１ｂ、１ｃ        スリット
１ｄ、１ｅ、１ｆ        スリット
２ａ、２ｂ、２ｃ        可動長舌片
２０ａ、２０ｂ、２０ｃ  係止爪
３ａ、３ｂ、３ｃ        固定舌片
３０ａ、３０ｂ、３０ｃ  係止爪
Ｙ、Ｙ’                屈曲線
Ｘ                      屈曲線
【図１】
2005046575.tif 000003
【図２】
2005046575.tif 000004